(57)【要約】【課題】表示パネルに加わるストレスを抑えることを可能とする。【解決手段】本発明に係る表示部１００は、表示パネル２２と、表示パネル２２の背面及び側面を覆うフレーム６１と、表示パネル２２の側面にフレーム６１を固定するネジ７と、を備え、ネジ７は、表示パネル２２の側面に挿入されるネジ部７１と、フレームをネジ部７１の挿入方向へ押圧係止するネジ頭部７３と、ネジ部７１とネジ頭部７３との間の軸部７２であって、ネジ頭部７３がフレーム６１を押圧係止した状態で、表示パネル２２の側面とフレーム６１との間隔を固定する軸部７２と、を備えるものである。【選択図】図１１
2016218100.tif 000002
【特許請求の範囲】
【請求項１】
表示パネルと、
前記表示パネルの背面及び側面を覆う表示パネル保持部材と、
前記表示パネルの側面に前記表示パネル保持部材を固定する固定部材と、
を備え、
前記固定部材は、
前記表示パネルの側面に挿入されるネジ部と、
前記表示パネル保持部材を前記ネジ部の挿入方向へ押圧係止する頭部と、
前記ネジ部と前記頭部との間の軸部であって、前記頭部が前記表示パネル保持部材を押圧係止した状態で、前記表示パネルの側面と前記表示パネル保持部材との間隔を固定する軸部と、
を備える、表示装置。
【請求項２】
前記軸部は、前記ネジ部よりも太さが太く、
前記頭部は、前記軸部の太さよりもサイズが大きい、
請求項１に記載の表示装置。
【請求項３】
前記軸部における前記挿入方向の長さから前記表示パネル保持部材の厚さを差し引いた値が、前記頭部の押圧による前記表示パネル保持部材の変位量よりも大きい、
請求項１または２に記載の表示装置。
【請求項４】
前記表示パネル保持部材の変位量は、前記表示パネルの外形サイズの製造ばらつきに基づいている、
請求項３に記載の表示装置。
【請求項５】
表示パネルの背面及び側面を覆う表示パネル保持部材と、
前記表示パネルの側面に前記表示パネル保持部材を固定する固定部材と、
を備え、
前記固定部材は、
前記表示パネルの側面に挿入されるネジ部と、
前記表示パネル保持部材を前記ネジ部の挿入方向へ押圧係止する頭部と、
前記ネジ部と前記頭部との間の軸部であって、前記頭部が前記表示パネル保持部材を押圧係止した状態で、前記表示パネルの側面と前記表示パネル保持部材との間隔を固定する軸部と、
を備える、表示パネル保持機構。
【請求項６】
表示パネルの背面及び側面を覆う表示パネル保持部材と、
前記表示パネルの側面に前記表示パネル保持部材を固定する固定部材と、を備える表示装置における表示パネル保持方法であって、
前記固定部材のネジ部を、前記表示パネルの側面に挿入し、
前記固定部材の頭部により、前記表示パネル保持部材を前記ネジ部の挿入方向へ押圧係止し、
前記ネジ部と前記頭部との間の軸部により、前記頭部が前記表示パネル保持部材を押圧係止した状態で、前記表示パネルの側面と前記表示パネル保持部材との間隔を固定する、
表示パネル保持方法。
【発明の詳細な説明】
【技術分野】
【０００１】
本発明は、表示装置、表示パネル保持機構及び表示パネル保持方法に関し、特に、表示パネルを保持する表示装置、表示パネル保持機構及び表示パネル保持方法に関する。
【背景技術】
【０００２】
液晶表示パネルなどの板状の表示パネルを用いた表示装置が広く利用されている。このような表示装置は、表示パネルを所定の位置で固定するためのフレーム状の保持機構を備えている。例えば、関連する技術として、特許文献１や２が知られている。
【先行技術文献】
【特許文献】
【０００３】
【特許文献１】特開２００２−４９０２２号公報
【特許文献２】特開２００７−３２２７２８号公報
【発明の概要】
【発明が解決しようとする課題】
【０００４】
特許文献１などの関連する技術では、フレーム状の保持機構を弾性的に可動させることで、外部からの振動や衝撃が内部の表示パネルに直接加わることを抑えている。しかしながら、関連する技術では、保持機構により保持される表示パネルの外形寸法のばらつきが考慮されていない。このため、関連する技術では、表示パネルの外形寸法のばらつきによっては、外的要因によるストレスが表示パネルに加わる恐れがあるという問題がある。
【０００５】
本発明は、上述した課題に鑑み、表示パネルに加わるストレスを抑えることが可能な表示装置、表示パネル保持機構及び表示パネル保持方法を提供することを目的とする。
【課題を解決するための手段】
【０００６】
本発明に係る表示装置は、表示パネルと、前記表示パネルの背面及び側面を覆う表示パネル保持部材と、前記表示パネルの側面に前記表示パネル保持部材を固定する固定部材と、を備え、前記固定部材は、前記表示パネルの側面に挿入されるネジ部と、前記表示パネル保持部材を前記ネジ部の挿入方向へ押圧係止する頭部と、前記ネジ部と前記頭部との間の軸部であって、前記頭部が前記表示パネル保持部材を押圧係止した状態で、前記表示パネルの側面と前記表示パネル保持部材との間隔を固定する軸部と、を備えるものである。
【０００７】
本発明に係る表示パネル保持機構は、表示パネルの背面及び側面を覆う表示パネル保持部材と、前記表示パネルの側面に前記表示パネル保持部材を固定する固定部材と、を備え、前記固定部材は、前記表示パネルの側面に挿入されるネジ部と、前記表示パネル保持部材を前記ネジ部の挿入方向へ押圧係止する頭部と、前記ネジ部と前記頭部との間の軸部であって、前記頭部が前記表示パネル保持部材を押圧係止した状態で、前記表示パネルの側面と前記表示パネル保持部材との間隔を固定する軸部と、を備えるものである。
【０００８】
本発明に係る表示パネル保持方法は、表示パネルの背面及び側面を覆う表示パネル保持部材と、前記表示パネルの側面に前記表示パネル保持部材を固定する固定部材と、を備える表示装置における表示パネル保持方法であって、前記固定部材のネジ部を、前記表示パネルの側面に挿入し、前記固定部材の頭部により、前記表示パネル保持部材を前記ネジ部の挿入方向へ押圧係止し、前記ネジ部と前記頭部との間の軸部により、前記頭部が前記表示パネル保持部材を押圧係止した状態で、前記表示パネルの側面と前記表示パネル保持部材との間隔を固定するものである。
【発明の効果】
【０００９】
本発明によれば、表示パネルに加わるストレスを抑えることが可能な表示装置、表示パネル保持機構及び表示パネル保持方法を提供することができる。
【図面の簡単な説明】
【００１０】
【図１】参考例の表示装置の構成を示す分解斜視図である。
【図２】参考例の表示装置におけるフレームと表示パネルの結合部分の拡大図である。
【図３】参考例の表示装置におけるフレームと表示パネルの結合部分の断面図である。
【図４】参考例の表示装置におけるフレームと表示パネルの結合部分の断面図である。
【図５】参考例の表示装置におけるフレームと表示パネルの結合部分の断面図である。
【図６】実施の形態１に係る表示装置の構成を示す外観斜視図である。
【図７】実施の形態１に係る表示装置の構成を示す分解斜視図である。
【図８】実施の形態１に係る表示装置におけるフレームの斜視図である。
【図９】実施の形態１に係る表示装置に用いられるネジの斜視図である。
【図１０】実施の形態１に係る表示装置におけるフレームと表示パネルの結合部分の拡大図である。
【図１１】実施の形態１に係る表示装置におけるフレームと表示パネルの結合部分の断面図である。
【図１２】実施の形態１に係る表示装置におけるフレームと表示パネルの結合部分の断面図である。
【図１３】実施の形態１に係る表示装置におけるフレームと表示パネルの結合部分の断面図である。
【発明を実施するための形態】
【００１１】
（実施の形態に至る検討）
まず、実施の形態適用前の参考例について説明する。図１は、参考例の表示装置の構成を示す分解斜視図である。図１に示すように、参考例の表示装置９００は、画像表示面（表面）側から背面（裏面）側へ向かって、画像表示面Ａ１側の外装部品２１、表示パネル２２、フレーム２３、画像表示面Ａ１と対向する背面側の外装部品２４を備えている。例えば、表示パネル２２は、液晶表示パネルなどの板状の表示パネルである。背面側の外装部品２４は、表示パネル２２及びフレーム２３を収容する外装ケースである。画像表示面Ａ１側の外装部品２１は、表示パネル２２及びフレーム２３を収容した外装部品２４の外周縁部を覆うように固定される外装フレームである。
【００１２】
フレーム２３は、表示パネル２２を所定の位置で固定するための保持部材（保持機構）である。フレーム２３は、表示パネル２２を所定の位置に固定するため、表示パネル側のネジ穴２２１に対応する取り付け穴２３１を備え、ネジ２５によって表示パネル２２との間に挟み込まれ固定される。
【００１３】
図２は、参考例の表示装置９００におけるフレーム２３と表示パネル２２の結合部分の拡大図である。参考例では、表示パネルの外形寸法のばらつきにより組立ての問題を起こすのを防ぐため、図２で示されるように、フレーム２３の側壁（側面）２３ａのネジ固定部３２に切欠き３１を設け、部分的にフレーム２３が変形するような設計を採用している。
【００１４】
図３〜図５は、図２における参考例の表示装置９００のＡ−Ａ断面図であり、図３は、表示パネル２２の外形が基準のサイズの場合、図４は、表示パネル２２の外形がばらつきにより最大サイズとなった場合、図５は、表示パネル２２の外形がばらつきにより最小サイズとなった場合を示している。
【００１５】
図３に示すように、表示パネル２２の外形が基準のサイズの場合、フレーム２３の取り付け穴２３１を介して表示パネル２２のネジ穴２２１へネジ２５を挿入し締結すると、表示パネル２２とフレーム２３が固定され、表示パネル２２の側面全体にフレーム２３の側壁２３ａが接触した状態となる。図４に示すように、表示パネル２２の外形が最大サイズの場合、ネジ２５により表示パネル２２とフレーム２３を固定すると、フレーム２３の側壁２３ａが外側へフレーム２３の幅が広がるように変形する。このため、接触部４１のように、表示パネル２２の側面の背面側端部とフレーム２３の側壁２３ａの根元側部分とが接触する。また、図５に示すように、表示パネル２２の外形が最小サイズの場合、ネジ２５により表示パネル２２とフレーム２３を固定すると、フレーム２３の側壁２３ａが内側へフレーム２３の幅が狭くなるように変形する。このため、接触部５１のように、表示パネル２２の側面の画像表示面Ａ１側端部とフレーム２３の側壁２３ａの先端部分とが接触する。
【００１６】
図４及び図５に示す通り、表示パネル２２の外形寸法がばらついた場合でも、フレーム２３が変形することで、表示パネル２２とフレーム２３を固定できるようになっている。例えば、上記特許文献１では、参考例と同様に、ネジ部とその近傍に切欠きを設けることで、弾性的に可動することを利用する提案がなされている。なお、特許文献２にはフレームが変形することについて開示されていない。
【００１７】
このような機構により、参考例では、表示パネル２２を外側からフレーム２３にて覆うことになる。一方、近年の表示パネルは大画面化が進んでおり、フレームおよび表示パネルの外形寸法のばらつきは増大していく傾向がある。このため、参考例では、ばらつきにより外形寸法が違う表示パネルを組み込んだときのフレーム側の変形量も大きくなる。
【００１８】
他方、表示パネルの大型化の他に、近年、表示装置に求められる画質は高性能になってきており、表示パネルの持つ表示性能を十分に発揮するためには、表示パネルになるべく外的要因によるストレスを加えないようにすることが求められる。
【００１９】
しかしながら、上述した参考例の構造では、図４あるいは図５のように、表示パネル側の外形寸法が大きくなった場合や小さくなった場合でも、表示パネルを保持することは可能であるが、接触部４１または接触部５１で示されるように、結合部近傍ではフレームとの偏接触があるため、表示パネルにストレスが発生する。したがって、参考例では、表示パネルのストレスにより、求められる表示性能を意図せず損なってしまうという問題がある。また、参考例では、フレームの変形を促すために切欠き３１を形成していることから、フレームの筐体の強度が低下し、落下などで破損しやすくなるという問題がある。
【００２０】
そこで、以下の実施の形態では、表示パネルの外形寸法がばらつく場合にも、表示パネルに加わるストレスを防ぐことで表示性能の低下を抑えつつ、表示パネル保持機構、および表示装置を、その強度を保ったまま提供することを可能とする。
【００２１】
（実施の形態１）
以下、図面を参照して実施の形態１について説明する。
【００２２】
図６は、本実施の形態に係る表示装置の構成を示す外観斜視図であり、図７はその表示装置の表示部の構成を示す分解斜視部であり、図８は、その表示部におけるフレームの斜視図であり、図９は、そのフレームに用いられるネジの斜視図である。
【００２３】
図６に示すように、本実施の形態に係る表示装置１は、画像を表示する表示部１００と、表示部１００を支持する脚部１０１を備えている。図７に示すように、本実施の形態に係る表示部（表示装置）１００は、画像表示面側から背面側へ向かって、画像表示面側の外装部品２１、表示パネル２２、フレーム６１、背面側の外装部品２４を備えている。外装部品２１、表示パネル２２、外装部品２４は、図１の参考例と同様の構成である。
【００２４】
例えば、表示パネル２２は、矩形状の外形を有する板状に形成され、板厚方向の一方の表面である前面側において、表示領域が形成されている。表示パネル２２の具体的な構成は特に限定されず、情報信号に応じて、情報の表示が可能な適宜のデバイスを採用することができる。表示パネル２２のデバイスとしては、例えば、液晶パネル、有機ＥＬディスプレイパネルなどの例を挙げることができる。
【００２５】
図７及び図８に示すように、本実施の形態に係るフレーム６１は、表示パネル２２を所定の位置で固定するための保持部材（保持機構）である。フレーム６１は、凹型に形成されたケース状のフレームであり、凹型内の空洞に表示パネル２２を収容することで、表示パネル２２の背面及び側面を覆う。フレーム６１は、表示パネル２２を所定の位置に固定するため、表示パネル側のネジ穴２２１に対応する取り付け穴６１１を備え、ネジ７によって表示パネル２２との間に挟み込まれ固定される。すなわち、フレーム６１の取り付け穴６１１を介して表示パネル２２のネジ穴２２１へネジ７を締結することで、フレーム６１と表示パネル２２を固定する。
【００２６】
取り付け穴６１１及びネジ穴２２１は、１個または複数個形成されている。例えば、取り付け穴６１１及びネジ穴２２１は、フレーム６１及び表示パネル２２の対向する２辺（表示面側から見て右辺及び左辺）の側面にそれぞれ２箇所形成され、合計４箇所形成されている。取り付け穴６１１及びネジ穴２２１は、フレーム６１及び表示パネル２２の２辺（または４辺）で対向する位置に形成されることが好ましい。
【００２７】
ネジ７は、表示パネル２２の側面にフレーム６１を固定する固定部材である。図９に示すように、本実施の形態で使用するネジ７は、ネジ部７１、軸部７２、ネジ頭部７３を備えている。ネジ部７１は、ネジ７の先端部（挿入方向の先端部）であり、表示パネルのネジ穴に挿入されて螺合する挿入部（螺合部）である。ネジ頭部７３は、ネジ７の根元部（挿入方向の根元部）であり、フレーム６１をネジの挿入方向へ押圧係止する押圧係止部である。軸部７２は、ネジ部７１とネジ頭部７３の間で、ネジ頭部７３がフレーム６１を押圧係止した状態で、フレーム６１と表示パネル２２の間隔を固定する間隔固定部である。軸部７２の太さは、ネジ部７１より太く、ネジ頭部７３の大きさは、軸部７２の太さよりも大きい。軸部７２の高さＨ（挿入方向の長さ）が、フレーム６１と表示パネル２２の間隔となる。
【００２８】
表示パネル２２を、軸部を有するネジ７を用いてフレーム６１から固定したとき、表示パネル２２の外形寸法がばらつきによって最大となっても、ネジ頭部７３とフレーム６１の取り付け穴６１１の間には間隙が発生しないようにフレーム６１及びネジ７を設計する。
【００２９】
図１０は、本実施の形態に係るフレーム６１と表示パネル２２の結合部分の拡大図である。図１０に示すように、本実施の形態では、フレーム６１の側壁（側面）６１ａのネジ固定部６１２に、参考例のような切欠きはなく、側壁６１ａが連続した板状に形成されている。フレーム６１の側壁６１ａのネジ固定部６１２は、ネジ７のネジ頭部７３の形状に合わせて、突出している。フレーム６１には参考例のように切欠きを形成していないため、フレームの強度を確保することができる。
【００３０】
図１１〜図１３は、図１０における本実施の形態に係る表示部（表示装置）のＢ−Ｂ断面図であり、図１１は、表示パネル２２の外形が最大サイズの場合、図１２は、表示パネル２２の外形がばらつきにより最小サイズとなった場合を示しており、図１３は、表示パネル２２の外形が最大サイズの場合と表示パネル２２の外形が最小サイズの場合の関係を示している。
【００３１】
図１１に示すように、表示パネル２２の外形が最大サイズの場合、フレーム６１の取り付け穴６１１を介して表示パネル２２のネジ穴２２１へネジ７を挿入し締結すると、表示パネル２２とフレーム６１が固定され、表示パネル２２の側面とフレーム６１の側壁６１ａが間隔Ｂ１で離間した状態となる。すなわち、表示パネル２２のネジ穴２２１にネジ７のネジ部７１の全体を挿入すると、ネジ頭部７３がフレーム６１の側壁６１ａの表面を押圧係止し、ネジ７の軸部７２の高さＨにより、表示パネル２２の側面とフレーム６１の側壁６１ａが間隔Ｂ１で略並行に固定される。
【００３２】
図１２に示すように、表示パネル２２の外形が最小サイズの場合、ネジ７により表示パネル２２とフレーム６１を固定すると、表示パネル２２の側面とフレーム６１の側壁６１ａが間隔Ｂ２〜Ｂ１で離間した状態となる。図１２で示されるように、表示パネル２２の外形寸法が最小となった場合には、ネジ７のネジ部７１でパネルとは固定されており、ネジ頭部７３によって取り付け穴６１１は表示パネル側へ引きつけられ変形する。この場合でも間隙Ｂ２が形成され、図５の接触部５１に示されるような偏接触へと至らない位置関係にフレーム６１またはネジ７を設計する。
【００３３】
すなわち、表示パネル２２のネジ穴２２１にネジ７のネジ部７１の全体を挿入すると、ネジ頭部７３がフレーム６１の側壁６１ａの表面を表示パネル側へ押圧係止して、フレーム６１の側壁６１ａが内側へ角度θで傾く。そうすると、ネジ７の軸部７２の高さＨにより、表示パネル２２とフレーム６１との間隔は、表示パネル２２の背面側で間隔Ｂ１、表示パネル２２の表示面側で間隔Ｂ２に固定される。
【００３４】
図１３に示すように、表示パネル２２の製造ばらつきによる外形の最大と最小の差分をΔＰとすれば、表示パネル２２の側面に固定されるネジ７の移動量もΔＰとなる。このときのフレーム６１の側壁６１ａ先端部の変位量ΔＦは、以下の式（１）によって表される。
ΔＦ＝（Ｌ１＋Ｌ２）×ｔａｎθ
ｔａｎθ＝ΔＰ／Ｌ１
∴ΔＦ＝ΔＰ×（１＋Ｌ２／Ｌ１）  ・・・（１）
すなわち、式（１）のように、フレーム６１の変位量ΔＦは、表示パネル２２の外形サイズの製造ばらつき（ΔＰ）に基づいており、また、フレーム６１の側壁６１ａのＬ１とＬ２の比に基づいている。なお、Ｌ１は側壁６１ａの根本部（背面との角部）からネジ７の中心部までの長さであり、Ｌ２はネジ７の中心部から側壁６１ａの先端部までの長さである。
【００３５】
この変位量ΔＦが（ネジ７の軸部７２の高さＨ−フレームの板厚Ｔ）未満となれば、間隙Ｂ２が保たれ、フレーム６１と表示パネル２２が偏接触へと至らない。このため、Ｈ−Ｔ＞ΔＰ×（１＋Ｌ２／Ｌ１）となるように、それぞれの値を設定する。言い換えると、ネジ７の軸部７２の挿入方向の長さ（Ｈ）からフレームの厚さ（Ｔ）を差し引いた値を、ネジ７の頭部の押圧によるフレームの変位量よりも大きくすることにより、偏接触を防ぐことができる。
【００３６】
以上のように、本実施の形態では、軸部を備えたネジを用いてフレームと表示パネルを固定することで、偏接触へと至らない保持機構を提供可能とする。本実施の形態によれば、表示パネルの外形寸法がばらつく場合にも表示パネルに予期せぬストレスを与えることなく、表示パネルを保持することができ、フレームの強度も損なわれないという効果を奏する。
【００３７】
なお、本発明は上記実施の形態に限られたものではなく、趣旨を逸脱しない範囲で適宜変更することが可能である。
【符号の説明】
【００３８】
１      表示装置
７      ネジ
７１    ネジ部
７２    軸部
７３    ネジ頭部
２１    外装部品
２２    表示パネル
２２１  ネジ穴
２３    フレーム
２３ａ  側壁
２３１  取り付け穴
２４    外装部品
２５    ネジ
３２    ネジ固定部
４１、５１  接触部
６１    フレーム
６１ａ  側壁
６１１  取り付け穴
６１２  ネジ固定部
１００  表示部
１０１  脚部
【図１】
2016218100.tif 000003
【図２】
2016218100.tif 000004
【図３】
2016218100.tif 000005
【図４】
2016218100.tif 000006
【図５】
2016218100.tif 000007
【図６】
2016218100.tif 000008
【図７】
2016218100.tif 000009
【図８】
2016218100.tif 000010
【図９】
2016218100.tif 000011
【図１０】
2016218100.tif 000012
【図１１】
2016218100.tif 000013
【図１２】
2016218100.tif 000014
【図１３】
2016218100.tif 000015